【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
気圧を検出し気圧情報を取得する気圧情報検出部と、
前記気圧情報を送信する気圧情報送信部、又は前記気圧情報を記憶する記憶部と、
を備えていることを特徴とする端末装置。
【請求項２】
請求項１において、
識別情報を送信する端末情報送信部を備えていることを特徴とする端末装置。
【請求項３】
請求項１又は２において、
前記気圧情報検出部は、高度を検出し高度情報を取得することを特徴とする端末装置。
【請求項４】
請求項３において、
前記気圧情報送信部は、前記高度情報を送信することを特徴とする端末装置。
【請求項５】
請求項１乃至４の何れか一項において、
前記気圧情報検出部は、圧力センサーを含むことを特徴とする端末装置。
【請求項６】
被検出物に取り付けられる端末装置と、
前記端末装置と通信が可能な情報処理装置と、
を含む位置検出システムであって、
前記端末装置は、
前記被検出物の位置する室内の気圧を検出し、気圧情報として取得する気圧情報検出部と、
前記気圧情報を前記情報処理装置へ送信する気圧情報送信部と、
を含み、
前記情報処理装置は、
前記端末装置から送信された前記気圧情報を受信する気圧情報受信部と、
前記室内と当該室内の設定気圧とを対応付ける室内気圧対応情報を記憶する記憶部と、
前記受信した前記気圧情報及び前記室内気圧対応情報に基づいて、前記被検出物が位置する前記室内を識別する室内識別情報を含む室内情報を生成する室内情報生成部と、
前記室内情報を出力する出力部と、
を含むことを特徴とする位置検出システム。
【請求項７】
請求項６において、
前記端末装置は、
当該端末装置の識別情報を前記情報処理装置へ送信する端末情報送信部を含み、
前記情報処理装置は、
前記端末装置から送信された識別情報を受信する端末情報受信部を含み、
前記情報処理装置の記憶部は、
前記端末装置と当該端末装置が取り付けられている前記被検出物とを対応付ける端末被検出物対応情報を記憶し、
前記室内情報生成部は、
前記受信した識別情報と前記記憶されている端末被検出物対応情報とに基づいて、前記室内に位置する前記被検出物を識別する被検出物識別情報を前記室内情報として生成することを特徴とする位置検出システム。
【請求項８】
請求項６又は７において、
前記室内の気圧を調整する気圧調整装置を含み、
前記気圧調整装置は、
前記情報処理装置の記憶部に記憶されている前記室内気圧対応情報に基づいて、前記室内の気圧を調整することを特徴とする位置検出システム。
【請求項９】
請求項６乃至８の何れか一項において、
前記被検出物は人物であり、
前記気圧情報検出部は、高度を検出して高度情報を取得し、
前記気圧情報送信部は、前記高度情報を前記情報処理装置へ送信し、
前記気圧情報受信部は、
前記端末装置から送信された高度情報を受信して、前記室内情報生成部は、前記受信した高度情報に基づいて、前記人物が大人であるか子供であるかの人物情報を前記室内情報として生成することを特徴とする記載の位置検出システム。
【請求項１０】
被検出物に取り付けられる端末装置と、
前記端末装置からデータの取得が可能な情報処理装置と、
を含む位置検出システムであって、
前記端末装置は、
前記被検出物の位置する室内の気圧を検出し、気圧情報として取得する気圧情報検出部と、
前記気圧情報を記憶する記憶部と、
を含み、
前記情報処理装置は、
前記記憶部から前記記憶されている気圧情報を取得する気圧変動情報取得部と、
前記室内と当該室内の設定気圧とを対応付ける室内気圧対応情報を記憶する記憶部と、
前記取得した気圧変動情報及び前記記憶されている室内気圧対応情報に基づいて、前記
被検出物が入室或いは退室した前記室内を識別する入退室識別情報を含む室内情報を生成する室内情報生成部と、
前記室内情報を出力する出力部と、
を含むことを特徴とする位置検出システム。
【請求項１１】
被検出物に取り付けられる端末装置と、
前記端末装置と通信が可能な情報処理装置と、
を含む位置検出システムの制御方法であって、
前記端末装置は、
前記被検出物の位置する室内の気圧を検出し、気圧情報として取得するステップと、
前記気圧情報を前記情報処理装置へ送信するステップと、
を含み、
前記情報処理装置は、
前記室内と当該室内に設定された気圧とを対応付ける室内気圧対応情報が予め記憶されており、
前記端末装置から送信された気圧情報を受信するステップと、
前記受信した気圧情報及び前記記憶されている室内気圧対応情報に基づいて、前記被検出物が位置する前記室内の室内識別情報を含む室内情報を生成するステップと、
前記室内情報を出力するステップと、
を含むことを特徴とする位置検出システムの制御方法。
【請求項１２】
被検出物に取り付けられる端末装置と、
前記端末装置からデータの取得が可能な情報処理装置と、
を含む位置検出システムの制御方法であって、
前記端末装置は、
前記被検出物の位置する室内の気圧を検出し、気圧情報として取得するステップと、
前記気圧情報を記憶するステップと、
を含み、
前記情報処理装置は、
前記室内と当該室内に設定された気圧とを対応付ける室内気圧対応情報が予め記憶されており、
前記端末装置に記憶されている気圧変動情報を取得するステップと、
前記取得した気圧情報及び前記記憶されている室内気圧対応情報に基づいて、前記被検出物が入室或いは退室した前記室内を識別する入退室識別情報を含む室内情報を生成するステップと、
前記室内情報を出力するステップと、
を有することを特徴とする位置検出システムの制御方法。
【手続補正２】
【補正対象書類名】明細書
【補正対象項目名】発明の名称
【補正方法】変更
【補正の内容】
【発明の名称】端末装置、位置検出システム及び位置検出システムの制御方法
【手続補正３】
【補正対象書類名】明細書
【補正対象項目名】０００１
【補正方法】変更
【補正の内容】
【０００１】
本発明は、端末装置、位置検出システム及び位置検出システムの制御方法に関する。
【手続補正４】
【補正対象書類名】明細書
【補正対象項目名】００１０
【補正方法】変更
【補正の内容】
【００１０】
本発明は、上述の課題の少なくとも一部を解決するためになされたものであり、以下の形態又は適用例として実現することが可能である。
本発明の第１の形態に係る端末装置は、気圧を検出し気圧情報を取得する気圧情報検出部と、前記気圧情報を送信する気圧情報送信部、又は前記気圧情報を記憶する記憶部と、を備えていることを特徴とする。
本発明の第２の形態に係る端末装置は、識別情報を送信する端末情報送信部を備えていることを特徴とする。
本発明の第３の形態に係る端末装置は、前記気圧情報検出部は、高度を検出し高度情報を取得することを特徴とする。
本発明の第４の形態に係る端末装置は、前記気圧情報送信部は、前記高度情報を送信することを特徴とする。
本発明の第５の形態に係る端末装置は、前記気圧情報検出部は、圧力センサーを含むことを特徴とする。
本発明の第６の形態に係る位置検出システムは、被検出物に取り付けられる端末装置と、前記端末装置と通信が可能な情報処理装置と、を含む位置検出システムであって、前記端末装置は、前記被検出物の位置する室内の気圧を検出し、気圧情報として取得する気圧情報検出部と、前記気圧情報を前記情報処理装置へ送信する気圧情報送信部と、を含み、前記情報処理装置は、前記端末装置から送信された前記気圧情報を受信する気圧情報受信部と、前記室内と当該室内の設定気圧とを対応付ける室内気圧対応情報を記憶する記憶部と、前記受信した前記気圧情報及び前記室内気圧対応情報に基づいて、前記被検出物が位置する前記室内を識別する室内識別情報を含む室内情報を生成する室内情報生成部と、前記室内情報を出力する出力部と、を含むことを特徴とする。
本発明の第７の形態に係る位置検出システムは、前記端末装置は、当該端末装置の識別情報を前記情報処理装置へ送信する端末情報送信部を含み、前記情報処理装置は、前記端末装置から送信された識別情報を受信する端末情報受信部を含み、前記情報処理装置の記憶部は、前記端末装置と当該端末装置が取り付けられている前記被検出物とを対応付ける端末被検出物対応情報を記憶し、前記室内情報生成部は、前記受信した識別情報と前記記憶されている端末被検出物対応情報とに基づいて、前記室内に位置する前記被検出物を識別する被検出物識別情報を前記室内情報として生成することを特徴とする。
本発明の第８の形態に係る位置検出システムは、前記室内の気圧を調整する気圧調整装置を含み、前記気圧調整装置は、前記情報処理装置の記憶部に記憶されている前記室内気圧対応情報に基づいて、前記室内の気圧を調整することを特徴とする。
本発明の第９の形態に係る位置検出システムは、前記被検出物は人物であり、前記気圧情報検出部は、高度を検出して高度情報を取得し、前記気圧情報送信部は、前記高度情報を前記情報処理装置へ送信し、前記気圧情報受信部は、前記端末装置から送信された高度情報を受信して、前記室内情報生成部は、前記受信した高度情報に基づいて、前記人物が大人であるか子供であるかの人物情報を前記室内情報として生成することを特徴とする。
本発明の第１０の形態に係る位置検出システムは、被検出物に取り付けられる端末装置と、前記端末装置からデータの取得が可能な情報処理装置と、を含む位置検出システムであって、前記端末装置は、前記被検出物の位置する室内の気圧を検出し、気圧情報として取得する気圧情報検出部と、前記気圧情報を記憶する記憶部と、を含み、前記情報処理装置は、前記記憶部から前記記憶されている気圧情報を取得する気圧変動情報取得部と、前記室内と当該室内の設定気圧とを対応付ける室内気圧対応情報を記憶する記憶部と、前記取得した気圧変動情報及び前記記憶されている室内気圧対応情報に基づいて、前記被検出物が入室或いは退室した前記室内を識別する入退室識別情報を含む室内情報を生成する室内情報生成部と、前記室内情報を出力する出力部と、を含むことを特徴とする。
本発明の第１１の形態に係る位置検出システムの制御方法は、被検出物に取り付けられる端末装置と、前記端末装置と通信が可能な情報処理装置と、を含む位置検出システムの制御方法であって、前記端末装置は、前記被検出物の位置する室内の気圧を検出し、気圧情報として取得するステップと、前記気圧情報を前記情報処理装置へ送信するステップと、を含み、前記情報処理装置は、前記室内と当該室内に設定された気圧とを対応付ける室内気圧対応情報が予め記憶されており、前記端末装置から送信された気圧情報を受信するステップと、前記受信した気圧情報及び前記記憶されている室内気圧対応情報に基づいて、前記被検出物が位置する前記室内の室内識別情報を含む室内情報を生成するステップと、前記室内情報を出力するステップと、を含むことを特徴とする。
本発明の第１２の形態に係る位置検出システムの制御方法は、被検出物に取り付けられる端末装置と、前記端末装置からデータの取得が可能な情報処理装置と、を含む位置検出システムの制御方法であって、前記端末装置は、前記被検出物の位置する室内の気圧を検出し、気圧情報として取得するステップと、前記気圧情報を記憶するステップと、を含み、前記情報処理装置は、前記室内と当該室内に設定された気圧とを対応付ける室内気圧対応情報が予め記憶されており、前記端末装置に記憶されている気圧変動情報を取得するステップと、前記取得した気圧情報及び前記記憶されている室内気圧対応情報に基づいて、前記被検出物が入室或いは退室した前記室内を識別する入退室識別情報を含む室内情報を生成するステップと、前記室内情報を出力するステップと、を有することを特徴とする。